(57)【要約】【課題】電気機器の電源装置においてレギュレータのオンオフ切替時にマイクロコンピュータへの供給電圧が低下してしまうのを防ぐ。【解決手段】動作モードがスタンバイモードへ切替えられると、直流電源回路３の高圧端子１の出力電圧Ｖ１と低圧端子２の出力電圧Ｖ２はそれぞれ低下される。高圧端子１とマイクロコンピュータ１１は、３端子レギュレータ１４とダイオード１５を介して接続され、その接続線１６に、レギュレータ１４の出力側において低圧端子２の出力電圧Ｖ２が合流される。動作モードがスタンバイモードであるとき、高圧端子１の出力電圧Ｖ１が３端子レギュレータ１４によって降圧されてマイクロコンピュータ１１へ供給され、動作モードが電源オンモードであるとき、低圧端子２の出力電圧Ｖ２が合流点（Ａ点）に印加されて、３端子レギュレータ１４が非能動にされると共に、低圧端子２の出力電圧Ｖ２がマイクロコンピュータ１１へ供給される。【選択図】図１
2007201844.tif 000002
【特許請求の範囲】
【請求項１】
電圧の異なる２種類の電圧出力端子を有し、前記高圧側の電圧出力端子（以下、高圧端子という）にチューナを含む大負荷が接続され、前記低圧側の電圧出力端子（以下、低圧端子という）に小負荷が接続され、かつ動作モードが電源オンモードから省エネ対応のスタンバイモードへ切替えられるとき、前記高圧端子と前記低圧端子の出力電圧がそれぞれ低下される直流電源回路と、
前記直流電源回路の前記高圧端子と前記低圧端子に共に接続され、動作モードが前記スタンバイモードであるとき前記高圧端子からの電圧供給を受け、動作モードが前記電源オンモードであるとき前記低圧端子からの電圧供給を受けるマイクロコンピュータと、
前記直流電源回路の前記高圧端子と前記マイクロコンピュータの接続線（以下、高圧接続線という）に挿入され、前記高圧端子からの電圧を、この電圧よりも低い第１の電圧へ降圧する高圧側レギュレータと、
前記マイクロコンピュータの電圧供給ポートに付設され、前記高圧端子又は前記低圧端子からの供給電圧を該マイクロコンピュータの動作に適した第２の電圧に降圧するレギュレータ（以下、マイコン付設レギュレータという）を備え、
前記直流電源回路の前記低圧端子と前記マイクロコンピュータの接続線（以下、低圧接続線という）が、前記高圧側レギュレータの出力側において前記高圧接続線と合流される、チューナを備える電気機器の電源装置において、
前記高圧側レギュレータは３端子レギュレータであり、
前記動作モードが前記スタンバイモードであるとき、前記第１の電圧より高い電圧に設定された前記高圧端子の電圧が前記高圧側レギュレータによって前記第１の電圧へ降圧されて前記マイクロコンピュータへ供給され、前記第１の電圧より低い電圧に低下された前記低圧端子の電圧が前記小負荷へ供給され、
前記動作モードが前記電源オンモードであるとき、前記第１の電圧より高い電圧に設定された前記低圧端子の電圧が前記高圧接続線と前記低圧接続線の合流点に印加されることによって前記高圧側レギュレータが非能動にされると共に、該低圧端子の電圧が前記マイコン付設レギュレータを介して前記マイクロコンピュータへ供給されることを特徴とする、チューナを備える電気機器の電源装置。
【請求項２】
電圧の異なる２種類の電圧出力端子を有し、動作モードが電源オンモードから省エネ対応のスタンバイモードへ切替えられるとき、前記高圧側の電圧出力端子（以下、高圧端子という）と前記低圧側の電圧出力端子（以下、低圧端子という）の出力電圧がそれぞれ低下される直流電源回路と、
前記直流電源回路の前記高圧端子と前記低圧端子に共に接続され、動作モードが前記スタンバイモードであるとき前記高圧端子からの電圧供給を受け、動作モードが前記電源オンモードであるとき前記低圧端子からの電圧供給を受けるマイクロコンピュータと、
前記直流電源回路の前記高圧端子と前記マイクロコンピュータの接続線（以下、高圧接続線という）に挿入され、前記高圧端子からの電圧を、この電圧よりも低い第１の電圧へ降圧するレギュレータを備え、
前記直流電源回路の前記低圧端子と前記マイクロコンピュータの接続線（以下、低圧接続線という）が、前記レギュレータの出力側において前記高圧接続線と合流される電気機器の電源装置において、
前記動作モードが前記スタンバイモードであるとき、前記第１の電圧より高い電圧に設定された前記高圧端子の電圧が前記レギュレータによって前記第１の電圧へ降圧されて前記マイクロコンピュータへ供給され、
前記動作モードが前記電源オンモードであるとき、前記第１の電圧より高い電圧に設定された前記低圧端子の電圧が前記高圧接続線と前記低圧接続線の合流点に印加されることによって前記レギュレータが非能動にされると共に、該低圧端子の電圧が前記マイクロコンピュータへ供給されることを特徴とする電気機器の電源装置。
【請求項３】
前記レギュレータが３端子レギュレータであることを特徴とする請求項２に記載の電気機器の電源装置。
【発明の詳細な説明】
【技術分野】
【０００１】
本発明は、チューナを備える電気機器の電源装置及び電気機器の電源装置に関する。
【背景技術】
【０００２】
ＡＣ電源に接続して使用されるテレビジョン受像機等の電気機器は、一般的に内部にＡＣ電源からの電圧を複数の異なった電圧に変換して出力するスイッチング電源等の電源装置を備えている。
【０００３】
例えば、テレビジョン受像機であれば、内部のスイッチング電源によってチューナ用の比較的高電圧の電圧出力（例えば３３ボルト）、マイクロコンピュータの動作用の比較的低電圧の電圧出力（例えば７ボルト）等の複数種類の電圧が供給される。
【０００４】
また、上記のような電源装置を有する電気機器において、マイクロコンピュータへ供給される電圧がマイクロコンピュータ以外の回路への電圧供給のタイミングと一致していない場合には、それが誤動作の原因になる。そこで、マイクロコンピュータへの電圧供給のタイミングがマイクロコンピュータ以外の回路への電圧供給のタイミングに対して正しいタイミングになるように、電源装置から出力された複数の電圧をレギュレータを介して同一の電圧に変換すると共に、ロジック回路を介して論理和し、該ロジック回路からの出力をマイクロコンピュータに入力させる誤動作防止装置が知られている（例えば、特許文献１参照）。
【０００５】
一方、シングルチップＣＰＵが内蔵されたモデム装置に外部のデータ通信端末が接続され、該データ通信端末からモデム装置へと電圧が供給されるように構成されたシステムにおいて、モデム装置内に電圧判定回路が備えられ、データ通信端末から供給される電圧の種類に応じて、モデム装置内のレギュレータ回路とＤＣ−ＤＣコンバータ回路のいずれかが選択され、選択された方の回路を通じてシングルチップＣＰＵへ所定の電圧が供給されるように構成された電圧変換回路が知られている（例えば、特許文献２参照）。
【特許文献１】特開平５−１４３２０２号公報
【特許文献２】特開平８−２２３３５号公報
【発明の開示】
【発明が解決しようとする課題】
【０００６】
次に、従来装置として、複数の電圧出力端子を有する直流電源回路を備えるテレビジョン受像機の電源装置について、図２を参照して説明する。
【０００７】
この電源装置は、比較的高い電圧Ｖ１を出力する高圧端子１０１と比較的低い電圧Ｖ２を出力する低圧端子１０２の２種類の電圧出力端子を有する直流電源回路１０３を備え、高圧端子１０１はテレビジョンチューナ１０４に接続され、低圧端子１０２は小負荷の回路（例えば、ランプ回路）１０５に接続される。
【０００８】
また、直流電源回路１０３は、ドライバとしての制御回路１０６を介してマイクロコンピュータ１０７に接続され、ユーザが当該テレビジョン受像機を、通常の電源オンモードからスタンバイモードに切替えると、マイクロコンピュータ１０７から電圧低下コマンドが制御回路１０６に出力されて高圧端子１０１と低圧端子１０２の出力電圧がそれぞれ低下される。
【０００９】
具体的には、当該テレビジョン受像機が電源オンモードのとき、高圧端子１０１からの出力電圧は３３ボルト、低圧端子１０２からの出力電圧は８ボルトであり、スタンバイモードに切替えられると、高圧端子１０１からの出力電圧は８ボルト、低圧端子１０２からの出力電圧は４ボルトに低下される。これによってスタンバイモード時の消費電力が大幅に節減されるようになっている。
【００１０】
また、高圧端子１０１からの出力がオンオフ制御可能なレギュレータ１０８を介してマイクロコンピュータ１０７へ接続され、低圧端子１０２からの出力がオンオフ制御可能なレギュレータ１０９を介してマイクロコンピュータ１０７へ接続される。
【００１１】
つまり、この電源装置の場合、マイクロコンピュータ１０７の動作用電圧はマイクロコンピュータ１０７への電圧供給点（Ａ点）において７ボルトが必要である。そこで、高圧端子１０１に接続されたレギュレータ１０８からの出力と低圧端子１０２に接続されたレギュレータ１０９からの出力が、各レギュレータ１０８、１０９のオンオフを制御することによって切替えられて、マイクロコンピュータ１０７への電圧供給点（Ａ点）に供給される。各レギュレータ１０８、１０９は４端子レギュレータであって、オンのときには高圧端子１０１及び低圧端子１０２からの電圧をそれぞれ７ボルトに降圧して出力し、オフのときには出力を停止する。
【００１２】
具体的には、当該テレビジョン受像機が電源オンモードのときには、レギュレータ１０８がオフに切替えられレギュレータ１０９がオンに切替えられて、低圧端子１０２からの電圧Ｖ２（８ボルト）が７ボルトに降圧されてマイクロコンピュータ１０７への電圧供給点（Ａ点）に供給される。スタンバイモードのときには、レギュレータ１０８がオンに切替えられレギュレータ１０９がオフに切替えられて、高圧端子からの電圧Ｖ１（８ボルト）が７ボルトに降圧されてマイクロコンピュータ１０７への電圧供給点（Ａ点）に供給される。
【００１３】
上記の電源装置は、動作モードの如何に関わらず、各レギュレータ１０８、１０９に入力される電圧（８ボルト）が出力電圧（７ボルト）に近い電圧になるのでレギュレータ内での熱損失が低く抑えられるという利点があるが、一方で次に述べる不具合がある。
【００１４】
つまり、各レギュレータ１０８、１０９のオンオフ制御のタイミングがずれて両レギュレータ１０８、１０９が共にオフ状態になる瞬間が生じる虞があり、その場合にはマイクロコンピュータ１０７に対する供給電圧が適正電圧よりも低下して誤動作を生じる虞がある。また、マイクロコンピュータ１０７に各レギュレータ１０８、１０９のオンオフ制御を行うための制御プログラムを搭載しなければならない。また、マイクロコンピュータ１０７に各レギュレータ１０８、１０９にオンオフ制御信号を出力するためのポートが必要である。さらにまた、これらのポートと接続される信号線が必要である。従って、その分だけ回路設計の自由度が減殺される不具合がある。
【００１５】
そこで、本発明は、２種類の電圧出力端子を有し、動作モードがスタンバイモードへ切替えられることによって各電圧出力端子からの出力電圧がそれぞれ低下される直流電源回路を備える電気機器において、簡単な回路でありながらマイクロコンピュータへの供給電圧が適正電圧よりも低下してしまう虞がなく、直流電源回路からの出力電圧をマイクロコンピュータに適合する電圧へ降圧するレギュレータのオンオフ制御が不要であり、マイクロコンピュータにレギュレータのオンオフ制御用の信号を出力するためのポートを設ける必要がなく、その分だけ製造コストを削減することができる電気機器の電源装置を提供することを目的とする。
【課題を解決するための手段】
【００１６】
上記目的を達成するために、請求項１の発明は、電圧の異なる２種類の電圧出力端子を有し、前記高圧側の電圧出力端子（以下、高圧端子という）にチューナを含む大負荷が接続され、前記低圧側の電圧出力端子（以下、低圧端子という）に小負荷が接続され、かつ動作モードが電源オンモードから省エネ対応のスタンバイモードへ切替えられるとき、前記高圧端子と前記低圧端子の出力電圧がそれぞれ低下される直流電源回路と、前記直流電源回路の前記高圧端子と前記低圧端子に共に接続され、動作モードが前記スタンバイモードであるとき前記高圧端子からの電圧供給を受け、動作モードが前記電源オンモードであるとき前記低圧端子からの電圧供給を受けるマイクロコンピュータと、前記直流電源回路の前記高圧端子と前記マイクロコンピュータの接続線（以下、高圧接続線という）に挿入され、前記高圧端子からの電圧を、この電圧よりも低い第１の電圧へ降圧する高圧側レギュレータと、前記マイクロコンピュータの電圧供給ポートに付設され、前記高圧端子又は前記低圧端子からの供給電圧を該マイクロコンピュータの動作に適した第２の電圧に降圧するレギュレータ（以下、マイコン付設レギュレータという）を備え、前記直流電源回路の前記低圧端子と前記マイクロコンピュータの接続線（以下、低圧接続線という）が、前記高圧側レギュレータの出力側において前記高圧接続線と合流される、チューナを備える電気機器の電源装置において、前記高圧側レギュレータは３端子レギュレータであり、前記動作モードが前記スタンバイモードであるとき、前記第１の電圧より高い電圧に設定された前記高圧端子の電圧が前記高圧側レギュレータによって前記第１の電圧へ降圧されて前記マイクロコンピュータへ供給され、前記第１の電圧より低い電圧に低下された前記低圧端子の電圧が前記小負荷へ供給され、前記動作モードが前記電源オンモードであるとき、前記第１の電圧より高い電圧に設定された前記低圧端子の電圧が前記高圧接続線と前記低圧接続線の合流点に印加されることによって前記高圧側レギュレータが非能動にされると共に、該低圧端子の電圧が前記マイコン付設レギュレータを介して前記マイクロコンピュータへ供給されることを特徴とする。
【００１７】
請求項２の発明は、電圧の異なる２種類の電圧出力端子を有し、動作モードが電源オンモードから省エネ対応のスタンバイモードへ切替えられるとき、前記高圧側の電圧出力端子（以下、高圧端子という）と前記低圧側の電圧出力端子（以下、低圧端子という）の出力電圧がそれぞれ低下される直流電源回路と、前記直流電源回路の前記高圧端子と前記低圧端子に共に接続され、動作モードが前記スタンバイモードであるとき前記高圧端子からの電圧供給を受け、動作モードが前記電源オンモードであるとき前記低圧端子からの電圧供給を受けるマイクロコンピュータと、前記直流電源回路の前記高圧端子と前記マイクロコンピュータの接続線（以下、高圧接続線という）に挿入され、前記高圧端子からの電圧を、この電圧よりも低い第１の電圧へ降圧するレギュレータを備え、前記直流電源回路の前記低圧端子と前記マイクロコンピュータの接続線（以下、低圧接続線という）が、前記レギュレータの出力側において前記高圧接続線と合流される電気機器の電源装置において、前記動作モードが前記スタンバイモードであるとき、前記第１の電圧より高い電圧に設定された前記高圧端子の電圧が前記レギュレータによって前記第１の電圧へ降圧されて前記マイクロコンピュータへ供給され、前記動作モードが前記電源オンモードであるとき、前記第１の電圧より高い電圧に設定された前記低圧端子の電圧が前記高圧接続線と前記低圧接続線の合流点に印加されることによって前記レギュレータが非能動にされると共に、該低圧端子の電圧が前記マイクロコンピュータへ供給されることを特徴とする。
【００１８】
請求項３の発明は、請求項２の発明において、前記レギュレータが３端子レギュレータであることを特徴とする。
【発明の効果】
【００１９】
本発明によれば、２種類の電圧出力端子を有し、動作モードがスタンバイモードへ切替えられることによって各電圧出力端子からの出力電圧がそれぞれ低下される直流電源回路を備える電気機器において、マイクロコンピュータへの供給電圧が適正電圧よりも低下してしまう虞がなく、直流電源回路からの出力電圧をマイクロコンピュータに適合する電圧へ降圧するレギュレータのオンオフ制御が不要であり、その分だけ製造コストを削減することができ、マイクロコンピュータにレギュレータのオンオフ制御用の信号を出力するためのポートを設ける必要がないので、その分だけ設計の自由度が向上する。
【発明を実施するための最良の形態】
【００２０】
以下、本発明の一実施形態に係るテレビジョン受像機の電源装置について図１を参照しながら説明する。
【００２１】
本実施形態の電源装置は、比較的高い電圧Ｖ１を出力する高圧端子１と比較的低い電圧Ｖ２を出力する低圧端子２の２種類の電圧出力端子を有するスイッチング電源から構成される直流電源回路３を備えている。高圧端子１はダイオード４を介してテレビジョンチューナ５に接続され、低圧端子２はダイオード６を介して小負荷の回路（例えば、ランプ回路）７に接続される。直流電源回路３の１次側にはＡＣ電源８が接続される。
【００２２】
また、直流電源回路３は、ドライバとしての制御回路９を介してマイクロコンピュータ１１に接続され、ユーザが当該テレビジョン受像機を通常の電源オンモードからスタンバイモードに切替えると、マイクロコンピュータ１１から電圧低下コマンドが制御回路９に出力されて高圧端子１と低圧端子２の出力電圧Ｖ１、Ｖ２がそれぞれ低下される。
【００２３】
具体的には、マイクロコンピュータ１１に、リモコン１２からの赤外光を受光する受光素子１３が接続され、リモコン１２から発せられたコマンド信号が受光素子１３を介してマイクロコンピュータ１１に入力され、入力されたコマンド信号に基づいてマイクロコンピュータ１１が制御回路９へ電圧低下のコマンド信号を出力したり、その他の回路に種々のコマンド信号を出力するように構成される。
【００２４】
例えば、テレビジョン受像機が視聴可能な状態（電源オンモード）において、ユーザが視聴を止めるときにリモコン１２の電源ボタン１２ａを押下すると、リモコン１２から電源オンオフコマンドがマイクロコンピュータ１１へ入力され、マイクロコンピュータ１１は、制御回路９へ電圧低下のコマンド信号を出力し、テレビジョン受像機がスタンバイモードに切替えられる。ユーザが視聴を開始するために再びリモコン１２の電源ボタン１２ａを押下すると、リモコン１２から電源オンオフコマンドがマイクロコンピュータ１１へ入力され、マイクロコンピュータ１１は、制御回路９へ電圧上昇のコマンド信号を出力し、テレビジョン受像機が再び電源オンモードに切替えられる。
【００２５】
高圧端子１及び低圧端子２からの出力電圧Ｖ１、Ｖ２は、具体的には、当該テレビジョン受像機が電源オンモードのとき、高圧端子１からの出力電圧が３３ボルト、低圧端子２からの出力電圧が８ボルトに設定され、スタンバイモードに切替えられると、高圧端子１からの出力電圧が８ボルト、低圧端子２からの出力電圧が４ボルトに低下される。これによってスタンバイモード時の消費電力が大幅に節減されるようになっている。
【００２６】
そして、高圧端子１からの出力Ｖ１が３端子レギュレータ１４とダイオード１５を介してマイクロコンピュータ１１へ入力され、低圧端子２からの出力Ｖ２が、上記の３端子レギュレータ１４に相当するレギュレータを介さずにマイクロコンピュータ１１へ入力される。３端子レギュレータ１４とマイクロコンピュータ１１の接続線（高圧接続線）１６と、低圧端子２とマイクロコンピュータ１１の接続線（低圧接続線）１７は、ダイオード１５のカソード側において合流される。この合流点Ａがマイクロコンピュータ１１への電圧供給点（Ａ点）を構成する。
【００２７】
マイクロコンピュータ１１の電圧供給ポート１８、１９には、電圧供給点（Ａ点）に供給された電圧をそれぞれ信号用の電圧とＶＣＣ用の電圧に降圧するレギュレータ（マイコン付設レギュレータ）２１、２２が付設される。
【００２８】
本実施形態の電源装置におけるマイクロコンピュータ１１の動作用電圧は、従来装置と同様に、マイクロコンピュータ１１への電圧供給点（Ａ点）において７ボルトが必要であるが、高圧端子１に接続されたレギュレータ１４からの出力と低圧端子２からの出力が動作モードの切替えに合わせて、次のようにして切替えられてマイクロコンピュータ１１に供給される。
【００２９】
当該テレビジョン受像機の動作モードがユーザの操作によってスタンバイモードに切替えられたときには、高圧端子１からの電圧Ｖ１（８ボルト）が３端子レギュレータ１４によって７ボルトに降圧され、この７ボルトの電圧がそのままマイクロコンピュータ１１への電圧供給点（Ａ点）に印加され、マイクロコンピュータ１１に供給される。このとき、低圧端子２からの電圧Ｖ２（４ボルト）も電圧供給点（Ａ点）に印加されている。
【００３０】
当該テレビジョン受像機の動作モードがユーザのリモコン操作によって電源オンモードに切替えられたときには、低圧端子２からの電圧Ｖ２（８ボルト）がマイクロコンピュータ１１への電圧供給点（Ａ点）に印加され、この８ボルトの電圧がレギュレータ２１、２２を介して所定電圧に降圧されてマイクロコンピュータ１１に供給される。
【００３１】
一方、このときレギュレータ１４についてみると、ダイオード１５のアノード側が７ボルトでありカソード側が８ボルトであるので、レギュレータ１４には電流が流れず、高圧端子１からの電圧Ｖ１（３３ボルト）はテレビジョンチューナ５のみに供給され、マイクロコンピュータ１１へは流れない。
【００３２】
従って、動作モードの如何に関わらず、マイクロコンピュータ１１への電圧供給点（Ａ点）には適正な電圧が供給される。
【００３３】
以上のように、高圧端子１に接続されたレギュレータ１４は３端子レギュレータであってオンオフ制御不能であるが、動作モードが電源オンモードであるときには、レギュレータ１４の出力電圧（７ボルト）と低圧端子２の出力電圧（８ボルト）間の逆方向の電圧差によってレギュレータ１４が非能動にされ、動作モードがスタンバイモードであるときには、レギュレータ１４の出力電圧（７ボルト）と低圧端子２の出力電圧（４ボルト）間が正方向の電圧差になるのでレギュレータ１４が動作する。これによって動作モードの切替タイミングに正確に一致されて給電源（高圧端子１と低圧端子２）の切替が行われ、極短時間であってもマイクロコンピュータ１１に対する供給電圧が適正電圧よりも低下してしまい誤動作を生じるという虞が防止される。
【００３４】
また、レギュレータ１４のオンオフ制御が不要であるので、マイクロコンピュータ１１に当該オンオフ制御用のプログラムを搭載する必要がなく、レギュレータ１４へのオンオフ制御信号を出力するためのポートも不要であるので、回路設計の自由度が増す上に、製造コストを削減することができる。
【００３５】
なお、動作モードがスタンバイモード時の高圧端子１の出力電圧Ｖ１と動作モードが電源オンモード時の低圧端子２の出力電圧Ｖ２は、マイクロコンピュータ１１へ供給すべき電圧よりも高い電圧であれば本実施形態における具体的な値以外の種々の電圧に変更が可能である。そして、そのように変更されたスタンバイモード時の高圧端子１の出力電圧Ｖ１と電源オンモード時の低圧端子２の出力電圧Ｖ２は、マイクロコンピュータ１１の実際の動作電圧により近い方が、マイコン付設レギュレータ２１、２２における熱損失が小さく抑えられて好都合である。
【００３６】
また、本実施形態は、高圧端子１に大負荷としてのテレビジョンチューナ５が接続されたテレビジョン受像機の電源装置であったが、本発明は、チューナを搭載するビデオテープレコーダやチューナを搭載するディスクレコーダ等の電源装置にも適用が可能である。
【図面の簡単な説明】
【００３７】
【図１】本発明の一実施形態に係るテレビジョン受像機の電源装置の構成を示すブロック図。
【図２】従来の電源装置の構成を示すブロック図。
【符号の説明】
【００３８】
１  高圧端子
２  低圧端子
３  直流電源回路
５  テレビジョンチューナ（大負荷）
７  小負荷回路（小負荷）
１１  マイクロコンピュータ
１４  ３端子レギュレータ（高圧側レギュレータ、レギュレータ）
１６  高圧接続線
１７  低圧接続線
２１、２２  マイコン付設レギュレータ
Ａ  合流点
【図１】
2007201844.tif 000003
【図２】
2007201844.tif 000004